(57)【要約】      （修正有）【課題】建築工事の技術を簡易化するとともに、防音、防湿、防炎等の効果を備え、補助的に使用できる建築用プラスチック板材の構造を提供する。【解決手段】凹凸波状または蜂の巣状の構造で空洞部を支える板本体１０からなり、成型時に、板本体の上層板面１０１、下層板面１０２の少なくとも１つの層板面は、鉤状の湾曲先端部を備え間隔をあけて配列される凸出した不規則な柱棒１２が連結されて設けられることで、不規則でざらついた層板面が構成され、平坦な層板面は、床スラブ面に直接当接され、簡単に釘で固定されて位置決めされ、コンクリートの板面層は、簡単に壁面全体または床スラブ面を平坦にすることで、後に続く作業をしやすくし、プラスチック製の中が空洞の板材の間の部分により、建築構造の断熱、防音、防湿、防炎の実用効果が達成され、鉤状の柱棒１１が不規則に配列されることで板本体と塗裝用のコンクリートが確実に結合される。【選択図】図１
0003224387.tif 000002
【実用新案登録請求の範囲】
【請求項１】
プラスチックで成型され且つ凹凸波状のまたは蜂の巣状の構造によって板と板の間の空洞部が支えられた板本体からなる建築用プラスチック板材の構造であって、板本体が成型される場合、その上層板面、下層板面における、少なくとも１つの層板面には、間隔をあけて交差して配列された柱棒帯が設けられ、凸伸される複数の支柱棒は、同じ高さに凸伸するよう設計され、柱棒の末端には、鉤状の湾曲先端部がそれぞれ形成され、同じ高さで不規則に配列されたざらついた層板面が構成されることで泥状コンクリートの表面を平坦にする作業の際、泥状コンクリートが填充され板面が確実に連結されるようにすることを特徴とする、建築用プラスチック板材の構造。
【請求項２】
板本体における中が空洞の構造の厚さは、８〜２０ｍｍの間であることを特徴とする、請求項１に記載の建築用プラスチック板材の構造。
【請求項３】
柱棒帯は、板面の長さ、幅に合わせて６．５〜１０ｍｍの間で等間隔に隣り合うよう設けられるとともに、複数回交錯して間隔をあけて配列されることを特徴とする、請求項１に記載の建築用プラスチック板材の構造。
【請求項４】
板本体上の柱棒帯は、上層板面、下層板面に配列されて設けられることを特徴とする、請求項１に記載の建築用プラスチック板材の構造。
【請求項５】
柱棒帯における複数のそれぞれ凸伸した柱棒は、それぞれ異なる方向に斜向して設けられ、特殊且つ不規則なざらついた層板面を構成することを特徴とする、請求項１に記載の建築用プラスチック板材の構造。
【請求項６】
柱棒は、僅かに円錐状の棒の形をしているとともに凸出されて設けられ、棒形底部の直径は、１．８〜２．５ｍｍであり、棒体の先端部の直径は、１．２ｍｍより大きく、棒体の凸伸した部分の高さは、５〜７ｍｍの間であることを特徴とする、請求項１に記載の建築用プラスチック板材の構造。
【請求項７】
柱棒の湾曲先端部が成形されると、成形された全体の高さは、４〜６ｍｍであることが好ましいことを特徴とする、請求項１に記載の建築用プラスチック板材の構造。
【考案の詳細な説明】
【技術分野】
【０００１】
本考案は、建築用プラスチック板材の構造に関し、特に、プラスチックで成型され且つ凹凸波状のまたは蜂の巣状の構造によって板と板の間の部分が支えられた板本体であり、板体の層板面は、成型されると、少なくとも１つの面には、間隔をあけて配列される凸伸した鉤状の湾曲先端部の柱棒が直接形成され、不規則でざらついた層板面が構成され、もう一方の平坦な側層板面は、建築工事に使用される場合、平坦に貼り付けられて位置決めしやすいことで、床スラブの板面層の塗裝または平坦に貼り付ける作業を簡単に行うことができるようにし、建築工事の技術レベルを効果的に下げることができるとともに、プラスチック製の積層の材質が異なることで、壁板面の防湿、防音、断熱、及び、防炎等の層板を別に設計することによる実用効果及び目的を達成することのできる建築用プラスチック板材の構造に関する。
【背景技術】
【０００２】
一般的な建築工事における、壁面を塗装する工事、または、床をならす塗装及び床の表面を塗装する工事には、通常熟練した技術を持つ人材が欠かせず、そうした人材が適切な道具を使うことによって外観の整った工事が達成される。特に、従来のビルの床スラブまたは間仕切り壁等の工事では、防音、断熱等の必要も考慮しなければならず、そのため一般には、コンクリートを注入する作業の際、通常、発泡スチロール板等と類似した材質のものを別に埋め込む必要があり、異なる材質の積層によって相応の隔音または断熱の効果が達成される。しかしながら、前記等の施工作業において、必要とされる配置は、安全に位置決めすることがほぼ不可能であるとともに、前記等の材質は、非常に割れ安く、環境保護の要求に合致していないとともに、安全に配置することができない。特に、直立した壁板面の工事の際には、さらに扱いにくいとともに、建築工事全体の質を制御することが難しい。従って、関係業者の実際の必要に応じて、ビルのそれぞれの層の床面を成型する際に、内装またはタイル等の工事に合わせて、タイル等を粗く成型されたコンクリートの床面に直接敷設し、さらに、表面をコンクリートで覆って平らにする作業と組み合わせることで、床面のタイルを敷設すると、中間層が異なる材質によって覆われることで、騒音の発生を抑えたり、音が漏れないようにしたりすることができる。しかしながら、その柔らかい弾力性ゆえに適正に位置決めすることが難しいとともに、全体的な平坦度が良くないという懸念があり、相応の施工技術が必要となってくる。従って、簡単に位置決めしやすく、平坦に成型されて敷設且つ組み立てることができる上、経済的に使用できるというニーズに応えることができるプラスチック板材の構造を開発し、さらに、そのプラスチック板材の構造を、簡単に施工できるとともに防湿、断熱、防音等の簡単な工事に使用できるようにするとともに、特に、現在高層階の積層板における防火防炎が、建築の際の公共の安全を守るために徐々に重視されている中で、現代の建築における安全使用のニーズに応えられるようにするためには、従来の建築材料の開発と実際の使用には、さらに設計を研究開発する必要がある。
【考案の概要】
【考案が解決しようとする課題】
【０００３】
本考案は、主に、プラスチックで成型され且つ凹凸波状のまたは蜂の巣状の構造によって板と板の間の空洞部分が支えられた板本体における、板面の少なくとも１つの層板面に凸出して配列され鉤状の湾曲先端部を備える柱棒が設けられ、中が空洞の板本体がコンクリートが注入された板面に貼り付けられて位置決めされ、板面層にコンクリートが塗裝されると、その湾曲された鉤状の先端部によりプラスチック板材と壁、床スラブ面が確実に結合されて一体化されることで、剥がれ落ちたり滑って移動したりする心配がないだけでなく、さらに、プラスチック製であり且つ中の空洞部が蜂の巣状の板材の特殊な空洞設計により、平坦にする作業を簡単且つ迅速に行えるようにし、平坦に塗装する作業の技術レベルを下げることができるだけでなく、床スラブが防湿、断熱、防音、及び、防炎等の複数の実用効果を達成し、さらに、床スラブ面の重さを軽減することで実用的且つ安全に使用できる建築用プラスチック板材の構造を提供することを目的とする。
【課題を解決するための手段】
【０００４】
本考案者は、プラスチックの加工を専門とする業者であり、プラスチック板材の加工応用を熟知しており、従来の建築業界に見られる防音または断熱等の目的で設置される発泡スチロール板材の使用における一般的な複数の問題についてよく理解しており、特に、前記材料が環境に与える影響に関する危惧が解決されるまでは、製造及び使用における実際の使用ニーズに適さない複数の問題点が確かに存在するため、材料の製造及び使用に関する長年の経験を生かして、本考案の建築用プラスチック板材の構造を開発した。中が空洞になっており凹凸波状または蜂の巣状に配列された板状の軽量化された構造であり、成型される場合、外側に敷設される板面には、配列且つ凸伸されて先端部に湾曲された鉤状の湾曲先端部を備える柱棒が直接形成され、板本体底面は、平坦にされ直接敷設されて建築用コンクリートで成型された床スラブまたは壁板面に位置決めされ、一般の床スラブのコンクリート板面層を平坦にする作業により、簡単に連結され平坦な床スラブ面にすることができることで、後に続く作業に使用することができ、間隔板本体の材料が備える特有の防湿、断熱、防音、及び、防炎効果により、上述した従来の建築工事において生じる施工品質の不安定さ及び技術レベルの高度さに伴う不便さによる実用性に欠けるという問題を効果的に解決することができる。
【考案の効果】
【０００５】
連結し簡単に平坦なスラブ面にすることができることで、後に続く施工に使用することができ、間隔板本体の材料が備える特有の防湿、断熱、防音、及び、防炎効果により、上述の従来の建築工事において生じる施工品質が不安定であるとともに高い技術レベルが求められる、さらに不便であり実用的ではないという欠点を効果的に克服することができる。
【図面の簡単な説明】
【０００６】
【図１】本考案における板材の外観を示した參考図である。
【図２】本考案における板材の断面平面図である。
【図３】本考案における成形された板材の平面図である。
【図４】本考案の板材を使用して敷設した場合の断面図である。
【図５】本考案の板本体を蜂の巣状に浮かせて配列した場合の参考図である。
【考案を実施するための形態】
【０００７】
本考案の建築用プラスチック板材の構造は、主に、プラスチックで成型され且つ中空板材からなり、建築工事の際に、便利な壁として使用でき、床スラブ面を簡単に平坦にする施工に使用できるとともに、防音、防湿、及び、断熱防炎等の様々な機能且つ使用効果を備えた建築板材の設計である。板材全体の構造設計に関しては、図１〜図５を参照する。本考案の板材は、主に、プラスチック材質の板材であり、凹凸波状に浮かせて配列される、または、中が空洞であるとともに連結部分の間の空洞が蜂の巣状の板本体１０に設計されることで、板体の剛性及び構造の軽量化が確実にされ、機械によって連続して生産され、任意の長さに延在して生産することができるため、異なる使用ニーズに対応できる。中空板を支える中間が波状または蜂の巣状となっている設計全体は、連続して成型且つ製造され、蜂の巣状の空間全体は、連続しているとともに、独立した密封された状態であり、上積層板１０１面、下積層板１０２面に合わせて密封されて成型され、浮かされて中が空洞状の板材構造にされ、その板体の厚みは、通常８〜２０ｍｍの間の比較的使用ニーズに応じた厚さであり、板本体１０全体が成型され製造される場合、その上積層板１０１、下積層板１０２の板面における、少なくとも１つの積層板面の上方には、配列され不規則な間隔で設置される凸出した鉤状の柱棒帯１１が設けられ、その上積層板１０１面、下積層板１０２面は、同時に配置されて設置されることができ、その配置は、板面の長さ、幅に応じて、６．５〜１０ｍｍの間隔で隣り合うよう配列され、間が複数回交錯して間隔をあけて配列され、各柱棒帯１１には、異なる斜向の柱桿１２が数本それぞれ凸伸されて、特殊且つ不規則な状態の板面が構成され、柱桿１２の設計は、僅かに円錐状の凸出した棒状に設けられ、その底部の直径は、１．８〜２．５ｍｍであり、柱桿１２の先端部は、直径１．２ｍｍより大きく、その凸伸した高さは、５〜７ｍｍの間であり、凸伸した柱棒１２全体は、凸伸して成型されると同時に、あらかじめ製造されているローラーによって先端部を折り曲げることで、鉤状の湾曲先端部１２１が構成されるとともに、折り曲げられた後の柱棒１２全体の高さは、約４〜６ｍｍに維持されることが好ましく、主に、先端部を折り曲げた後、凸伸できる適当な空間を備えることで、建築用の泥状コンクリートを注入する際、確実に注入且つ充填して使用できるようにすることができ、凸伸した柱棒帯１１において、凸伸した各柱棒１２は、それぞれ異なる方向に延出されることで、ローラーで折り曲げられた後の湾曲先端部１２１は、自然と不規則に円弧状に折り曲げられて配置され、それにより、不規則な鉤状のざらついた積層板面が形成されるが、その折り曲げられた先端部は、ほぼ同じ高さの平面であることで、板本体１０の上積層板１０１面は、自然と平坦状にされ、平坦に貼り付け敷設する目的で使用される。
【０００８】
本考案の建築板材の構成を製造し、使用する場合、一般と同様、壁板または床スラブ面の表層面を塗る作業を行い、本考案の板本体１０における一側の滑らかで平坦な板面層をコンクリートで成型された約１２〜１５ｍｍの厚みのあるコンクリート板に直接貼り付け、順に配列して平坦にした後、簡単に釘で固定して位置決めするだけで、平坦状の層板面を敷設することができ、建築塗層の基準面が自然に構成されることで、平坦にして施工作業を行うのに便利であり、板面層２１の表面に塗裝される泥状コンクリートは、板本体１０における凸伸した柱棒１２を備える配列された板面の後ろに塗装され、平坦にする作業を組み合わせることで、コンクリート層が柱棒１２の湾曲先端部１２１の底部空間に浸透することで、コンクリートがしっかりと充填され、さらに、塗りつける作業の後、板本体１０全体は、注入された床スラブ２０の面と連結されて一体化され、完成され且つ確実に貼り付けられた床スラブ２０の面が構成され、図４に示す通り、後に続くタイルの貼り付けまたはペンキ等の塗装や美化作業に使用される。板本体１０における間が空洞のプラスチック板材の構造は、機械によって製造且つ成型され、コンクリートで成型された表面の板面層２１を続けて施工できるようにするだけでなく、とりわけ、修正及び平坦にする施工に求められる技術レベルを低くすることができ、さらに、異なる傾斜で凸伸した設計の柱棒１２には、不規則に配置される湾曲先端部１２１が設けられることで、コンクリート板面層２１と板本体１０は、確実に均一に鉤部を覆い連結されて位置決めされ且つ一体化され、板本体１０とコンクリートの床スラブ２０は、釘で固定されて一体化されることで、壁面全体または床スラブを平坦にする作業を行った後のコンクリート板層は、確実に頑丈な構造が達成され、分離または剥がれ落ちる心配がなく、建築工事における技術の簡易化を助ける役割を果たし、いわゆる建築板材の技術として運用且つ使用することができ、本考案は、同業界内において革新的且つ実用性を備え、効率を高める板材の開発設計及びその使用に関する確かな発明である。
【０００９】
さらに、本考案のいわゆるプラスチック中空板材の構造設計により、コンクリート壁または床スラブ面に敷設且つ固定し、組み立てて使用する場合、板本体１０の中が空洞のプラスチック板材の構造、及び、材質とコンクリートの質量密度は異なることで、コンクリートの中間積層に設けられると、音、熱気等の伝達が自然に切断されることで、防音及び断熱等の使用効果が達成され、特に、そのプラスチックの材質により、水気の侵入を大幅に防ぐことができることで、壁面の防湿の実用効果が達成され、プラスチック板材に原材料に加えて比較的防炎性の材質を混ぜ合わせて成型された板本体１０は、さらに防炎防火の効果を備えることができ、コンクリートと混ぜ合わされて貼り付けられ一体化されると、壁板面の防火防炎の使用効果がさらに達成され、新たな防火建築設計が形成される。本考案のプラスチック板材における特殊な凸伸した柱棒帯１１の不規則に凸出したばらばらに配列された設計により、建築工事の際に、断熱、防炎、防音、及び、防湿等の多方面における異なる使用効果が達成され、その構造は、非常に簡単に使用することができ、さらに、施工技術の簡易化及び多様な実用効果を発揮することができ、機械で連続して成型される板本体１０の製造上の特性により、各種サイズに応じて変更して使用することができるため、本考案が備える建築において柔軟に使用できるという実用効果は、建築板材における革新的な発明且つ設計である。
【００１０】
要約すると、本考案の建築用プラスチック板材の構造は、プラスチック材質であり且つ中が空洞でウェーブ状または蜂の巣状の空洞によって支えられる板本体であり、上層板面、下層板面における少なくとも１つの層の板面には、間が交錯して配列された柱棒帯が連結されて形成され、その凸伸した柱棒のフック状の湾曲先端部は、板本体において泥状コンクリートで成型された壁、床スラブの板面層に  釘で固定された後、泥状コンクリートを組み合わせて表面を平らに施工することで、壁面を安全に一体化させるという実用効果が確実に達成され、求められる施工技術のレベルを低くすることができるだけでなく、経済的であり、さらに、防音、断熱、防湿、及び、防炎といった安全に使用できる使用効果と目的を兼ね備える。
【符号の説明】
【００１１】
１０    板本体
１０１  上層板
１０２  下層板
１１    柱棒帯
１２    柱棒
１２１  湾曲先端部
２０    床スラブ
２１    板面層
【図１】
0003224387.tif 000003
【図２】
0003224387.tif 000004
【図３】
0003224387.tif 000005
【図４】
0003224387.tif 000006
【図５】
0003224387.tif 000007